(57)【要約】      （修正有）【課題】オートバイのチェーンの交換を、ユーザーが一人で容易に、かつ確実に行うことができるオートバイ用チェーン交換工具を提供する。【解決手段】交換工具本体Ｔと、２本のカット用ボルトＢａ及び２本のかしめ用ボルトＢｂと、圧入ボルトＢｃと、圧入用ガイドプレート４と、圧入ボルトＢｃの基端部に圧入ボルトＢｃに対して回転自在に、かつ、圧入ボルトＢｃの軸方向に摺動可能に配設したガイドピン操作用プレート５に突設され、一方の端板部１の連結部３を挟んで他方側に形成された２個の透孔及び圧入用ガイドプレート４に形成された２個の透孔に挿通される２本のガイドピン６と、圧入ボルトＢｃの頭部とガイドピン操作用プレート５との間に介在し、ガイドピン操作用プレート５を一方の端板部１側に向けて付勢するばね部材７とからなる。【選択図】図１
0003155867.tif 000002
【実用新案登録請求の範囲】
【請求項１】
対向する２つの端板部及び該２つの端板部の中央部を連結する連結部からなる交換工具本体と、交換工具本体の一方の端板部の連結部を挟んで一方側に形成された２個の雌ねじ部に選択的に螺合される２本のカット用ボルト及び２本のかしめ用ボルトと、一方の端板部の連結部を挟んで他方側に形成された１個の雌ねじ部に螺合される圧入ボルトと、交換工具本体の他方の端板部の連結部を挟んで一方側に形成された２個の雌ねじ部に着脱可能に螺合される２本のセット用ボルトと、一方の端板部を貫通した圧入ボルトの先端部に圧入ボルトに対して回転自在に配設した圧入用ガイドプレートと、圧入ボルトの基端部に圧入ボルトに対して回転自在に、かつ、圧入ボルトの軸方向に摺動可能に配設したガイドピン操作用プレートに突設され、一方の端板部の連結部を挟んで他方側に形成された２個の透孔及び圧入用ガイドプレートに形成された２個の透孔に挿通される２本のガイドピンと、圧入ボルトの頭部とガイドピン操作用プレートとの間に介在し、ガイドピン操作用プレートを一方の端板部側に向けて付勢するばね部材とからなることを特徴とするオートバイ用チェーン交換工具。
【請求項２】
カット用ボルトが、第１段のカット用ボルトと、該第１段のカット用ボルトより長い第２段のカット用ボルトとからなることを特徴とする請求項１記載のオートバイ用チェーン交換工具。
【請求項３】
第１段のカット用ボルトとかしめ用ボルトとを兼用するようにしたことを特徴とする請求項１又は２記載のオートバイ用チェーン交換工具。
【請求項４】
カット用ボルト及びかしめ用ボルトの先端面を、各ボルトの先端部の半径より大きい曲率半径を有する曲面で構成したことを特徴とする請求項１、２又は３記載のオートバイ用チェーン交換工具。
【請求項５】
他方の端板部のチェーンの当接面に、チェーンの外縁に沿う形状の位置決めプレートを配設したことを特徴とする請求項１、２、３又は４記載のオートバイ用チェーン交換工具。
【考案の詳細な説明】
【技術分野】
【０００１】
本考案は、オートバイ用チェーン交換工具に関し、特に、オートバイのチェーンの交換を、ユーザーが一人で容易に、かつ確実に行うことができるようにするためのオートバイ用チェーン交換工具に関するものである。
【背景技術】
【０００２】
オートバイのチェーンは、使用に伴って摩耗等の経時劣化が生じるため、約１万サイクル毎に交換が必要であるとされている。
通常、オートバイのチェーンの交換が必要になった場合、ユーザーは、オートバイを専門の業者に持ち込み、工場で交換してもらうことになるが、費用や時間を要することとなるため、オートバイのチェーンの交換をユーザーが一人で行うことができるようにするためのオートバイ用チェーン交換工具が提案されている（特許文献１参照）。
【０００３】
この特許文献１に記載のオートバイ用チェーン交換工具は、交換工具本体をオートバイに装着されている古いチェーンに装着し、カット用ボルトを用いて、古いチェーンのピンをカットすることによって古いチェーンをオートバイから取り外し、その後、新しいチェーンをオートバイに取り付け、チェーンの端部間にジョイントを配設して、圧入ボルト及びかしめ用ボルトを用いて、ジョイントによってチェーンを接続するものである。
【０００４】
ところで、このオートバイ用チェーン交換工具においては、新しいチェーンの端部間にジョイントを配設する場合、ガイドピンを用いてチェーン及びジョイントの位置決めを行うようにしているが、このガイドピンは、交換工具本体にガイドピン固定用ボルトを用いて固定する構造のため、工具の操作をユーザーが一人で行うことが困難で、ガイドピン固定用ボルトを用いてガイドピンを固定している間に、ガイドピンの位置が弛み方向に移動してしまい、一旦位置決めをしたチェーン及びジョイントにずれが生じやすいという問題があった。
【先行技術文献】
【特許文献】
【０００５】
【特許文献１】実用新案登録第３０６７０４４号
【考案の概要】
【考案が解決しようとする課題】
【０００６】
本考案は、上記従来のオートバイ用チェーン交換工具の有する問題点に鑑み、オートバイのチェーンの交換を、ユーザーが一人で容易に、かつ確実に行うことができるオートバイ用チェーン交換工具を提供することを目的とする。
【課題を解決するための手段】
【０００７】
上記目的を達成するため、本考案のオートバイ用チェーン交換工具は、対向する２つの端板部及び該２つの端板部の中央部を連結する連結部からなる交換工具本体と、交換工具本体の一方の端板部の連結部を挟んで一方側に形成された２個の雌ねじ部に選択的に螺合される２本のカット用ボルト及び２本のかしめ用ボルトと、一方の端板部の連結部を挟んで他方側に形成された１個の雌ねじ部に螺合される圧入ボルトと、交換工具本体の他方の端板部の連結部を挟んで一方側に形成された２個の雌ねじ部に着脱可能に螺合される２本のセット用ボルトと、一方の端板部を貫通した圧入ボルトの先端部に圧入ボルトに対して回転自在に配設した圧入用ガイドプレートと、圧入ボルトの基端部に圧入ボルトに対して回転自在に、かつ、圧入ボルトの軸方向に摺動可能に配設したガイドピン操作用プレートに突設され、一方の端板部の連結部を挟んで他方側に形成された２個の透孔及び圧入用ガイドプレートに形成された２個の透孔に挿通される２本のガイドピンと、圧入ボルトの頭部とガイドピン操作用プレートとの間に介在し、ガイドピン操作用プレートを一方の端板部側に向けて付勢するばね部材とからなることを特徴とする。
【０００８】
この場合において、カット用ボルトを、第１段のカット用ボルトと、該第１段のカット用ボルトより長い第２段のカット用ボルトとから構成することができる。
【０００９】
また、第１段のカット用ボルトとかしめ用ボルトとを兼用するようにすることができる。
【００１０】
また、カット用ボルト及びかしめ用ボルトの先端面を、各ボルトの先端部の半径より大きい曲率半径を有する曲面で構成することができる。
【００１１】
また、他方の端板部のチェーンの当接面に、チェーンの外縁に沿う形状の位置決めプレートを配設することができる。
【考案の効果】
【００１２】
本考案のオートバイ用チェーン交換工具によれば、新しいチェーンの端部間にジョイントを配設する場合、圧入ボルトの頭部とガイドピン操作用プレートとの間に介在し、ガイドピン操作用プレートを一方の端板部側に向けて付勢するばね部材によって、チェーン及びジョイントの位置決めを行うガイドピンを実質的に固定することができ、上記従来のオートバイ用チェーン交換工具の有していたガイドピンの位置が弛み方向に移動することによって一旦位置決めをしたチェーン及びジョイントにずれが生じるという問題点を解消することができるとともに、新しいチェーンにジョイント等と共に交換工具本体を装着する際の操作性を向上することができることと相俟って、オートバイのチェーンの交換を、ユーザーが一人で容易に、かつ確実に行うことができる。
【００１３】
また、カット用ボルトを、第１段のカット用ボルトと、該第１段のカット用ボルトより長い第２段のカット用ボルトとから構成することにより、カット用ボルトの損傷を防止することができる。
【００１４】
また、第１段のカット用ボルトとかしめ用ボルトとを兼用するようにすることにより、部品点数を低減することができる。
【００１５】
また、カット用ボルト及びかしめ用ボルトの先端面を、各ボルトの先端部の半径より大きい曲率半径を有する曲面で構成することにより、ボルトの先端面のピンへの当接状態を安定化させ、ピンのカット及びかしめを確実に行うことができる。
【００１６】
また、他方の端板部のチェーンの当接面に、チェーンの外縁に沿う形状の位置決めプレートを配設することにより、チェーンに交換工具本体を装着する際の装着状態を安定化させ、チェーンに対する位置決めを確実に行うことができる。
【図面の簡単な説明】
【００１７】
【図１】本考案のオートバイ用チェーン交換工具の一実施例を示し、（ａ）は正面図、（ｂ）は平面図、（ｃ）は底面図、（ｄ）は左側面図、（ｅ）は右側面図である。
【図２】同オートバイ用チェーン交換工具の交換工具本体を示し、（ａ）は正面図、（ｂ）は平面図、（ｃ）は底面図、（ｄ）は左側面図、（ｅ）は右側面図である。
【図３】同オートバイ用チェーン交換工具の構成部品を示し、（ａ）は位置決めプレート、（ｂ）はガイドピン操作用プレート及びガイドピン、（ｃ）は圧入用ガイドプレート、（ｄ）はボルト、（ｅ）は把持部である。
【図４】古いチェーンをカットする方法を示す説明図である。
【図５】新しいチェーンのジョイントにプレートを圧入する方法を示す説明図である。
【図６】新しいチェーンのジョイントのピンをかしめる方法を示す説明図である。
【考案を実施するための形態】
【００１８】
以下、本考案のオートバイ用チェーン交換工具の実施の形態を、図面に基づいて説明する。
【００１９】
図１〜図６に、本考案のオートバイ用チェーン交換工具の一実施例を示す。
このオートバイ用チェーン交換工具は、図１〜図３に示すように、対向する２つの端板部１、２及びこれら２つの端板部１の中央部を連結する連結部３からなる交換工具本体Ｔと、交換工具本体Ｔの一方の端板部１の連結部３を挟んで一方側に形成された２個の雌ねじ部１１に選択的に螺合される２本のカット用ボルトＢａ及び２本のかしめ用ボルトＢｂと、一方の端板部１の連結部３を挟んで他方側に形成された１個の雌ねじ部１２に螺合される圧入ボルトＢｃと、交換工具本体Ｔの他方の端板部２の連結部３を挟んで一方側に形成された２個の雌ねじ部２１に着脱可能に螺合される２本のセット用ボルトＢｄと、一方の端板部１を貫通した圧入ボルトＢｃの先端部を挿入する１個の透孔４２が形成され、圧入ボルトＢｃに対して回転自在に、かつ、ねじ４３により抜け止めされて配設した圧入用ガイドプレート４と、圧入ボルトＢｃの基端部に圧入ボルトＢｃに対して回転自在に、かつ、圧入ボルトＢｃを挿通する１個の透孔５１及び操作片５２が形成され、圧入ボルトＢｃの軸方向に摺動可能に配設したガイドピン操作用プレート５と、このガイドピン操作用プレート５に突設され、一方の端板部１の連結部３を挟んで他方側に形成された２個の透孔１３及び圧入用ガイドプレート４に形成された２個の透孔４１に挿通される先端を円錐状に形成した２本のガイドピン６と、圧入ボルトＢｃの頭部とガイドピン操作用プレート５との間に介在し、ガイドピン操作用プレート５を一方の端板部１側に向けて付勢するばね部材７と、連結部３に貫通して形成された１個の雌ねじ部３１に連結部３のいずれかの面側から選択的に螺合される把持部８とからその主要部を構成するようにしている。
【００２０】
この場合において、カット用ボルトＢａは、ピンのカット部となる細径部を備え、細径部の長さがピンの長さより短い第１段のカット用ボルトＢａ１と、細径部の長さがピンの長さより長い第２段のカット用ボルトＢａ２とからなるようにしている。
これによって、カット用ボルト、特に、細径部の長さがピンの長さより長い第２段のカット用ボルトＢａ２の損傷を防止することができるようにしている。
【００２１】
そして、本実施例においては、第１段のカット用ボルトＢａ１と、かしめ用ボルトＢｂとを兼用するようにしている。
これにより、部品点数を低減することができるようにしている。
【００２２】
また、カット用ボルトＢａ１、Ｂａ２及びかしめ用ボルトＢｂの先端面を、各ボルトの先端部の半径より大きい曲率半径、より具体的には、ボルトの先端部の半径の１．５〜５倍、好ましくは、２〜３倍程度の曲率半径を有する曲面で構成するようにしている。
これにより、ボルトの先端面のピンへの当接状態を安定化させ、ピンのカット及びかしめを確実に行うことができるようにしている。
【００２３】
また、他方の端板部２のチェーンの当接面に、チェーンＣｏ、Ｃｎの外縁に沿う形状の位置決めプレート９を配設することができる。
これにより、チェーンＣｏ、Ｃｎに交換工具本体Ｔを装着する際の装着状態を安定化させ、チェーンＣｏ、Ｃｎに対する位置決めを確実に行うことができる。
【００２４】
次に、このオートバイ用チェーン交換工具の使用方法について、図４〜図６に基づいて説明する。
【００２５】
まず、図４に、古いチェーンＣｏをカットする方法を示す。
（１）交換工具本体Ｔの一方の端板部１の連結部３を挟んで一方側に形成された２個の雌ねじ部１１に２本の第１段のカット用ボルトＢａ１（かしめ用ボルトＢｂと兼用）を螺合する。
また、交換工具本体Ｔの他方の端板部２の連結部３を挟んで一方側に形成された２個の雌ねじ部２１は、開放した状態にしておく。
このとき、必要に応じて、連結部３に貫通して形成された１個の雌ねじ部３１に連結部３の端板部１の他方側の面側に把持部８を螺合するようにする。
（２）古いチェーンＣｏのカットする箇所に交換工具本体Ｔを装着する。
このとき、他方の端板部２のチェーンの当接面に配設したチェーンＣｏの外縁に沿う形状の位置決めプレート９によって、チェーンＣｏに交換工具本体Ｔを装着する際の装着状態を安定化させ、チェーンＣｏに対する位置決めを確実に行うことができる。
（３）２本の第１段のカット用ボルトＢａ１を順に手で締める。
（４）２本の第１段のカット用ボルトＢａ１を順に六角レンチで締める。
これにより、チェーンＣｏのピンがカットされ、カットされたピンが、交換工具本体Ｔの他方の端板部２の連結部３を挟んで一方側に形成された２個の雌ねじ部２１を介して、途中まで抜け出る。
（５）第１段のカット用ボルトＢａ１を抜き去り、第２段のカット用ボルトＢａ２を手又は六角レンチで締める。同様の作業をもう一方の第１段のカット用ボルトＢａ１についても順に行う。
このように、細径部の長さがピンの長さより短い第１段のカット用ボルトＢａ１と、細径部の長さがピンの長さより長い第２段のカット用ボルトＢａ２とを併用することにより、細径部の長さがピンの長さより長い第２段のカット用ボルトＢａ２の損傷を防止することができる。
これにより、第１段のカット用ボルトＢａ１によってカットされたチェーンＣｏのピンを、雌ねじ部２１を介して、抜き去ることよって、古いチェーンＣｏをオートバイから取り外すことができる。
【００２６】
次に、図５に、新しいチェーンＣｎのジョイントＪにプレートＰを圧入する方法を示す。
まず、必要に応じて、連結部３に貫通して形成された１個の雌ねじ部３１に連結部３の端板部１の一方側の面側に把持部８を螺合するようにする。
（１）新しいチェーンＣｎをオートバイに取り付け、チェーンＣｎの端部間にジョイントＪ及びプレートＰを装着する。
このとき、必要に応じて、オイルシール、クリップ等を配設することができる。
（２）チェーンＣｎの接続する箇所に交換工具本体Ｔを装着する。
このとき、ばね部材７の付勢力に抗してガイドピン操作用プレート５を介して２本のガイドピン６を引き上げることにより、チェーンＣｎにジョイントＪ及びプレートＰと共に交換工具本体を装着する際の操作性を向上することができる。
また、他方の端板部２のチェーンの当接面に配設したチェーンＣｎの外縁に沿う形状の位置決めプレート９によって、チェーンＣｎに交換工具本体Ｔを装着する際の装着状態を安定化させ、チェーンＣｎに対する位置決めを確実に行うことができる。
その後、ガイドピン操作用プレート５を介して２本のガイドピン６を押し下げ、チェーンＣｎ並びにジョイントＪ及びプレートＰを仮固定する。
（３）一方の端板部１の連結部３を挟んで他方側に形成された１個の雌ねじ部１２に螺合された圧入ボルトＢｃを六角レンチで締めることにより、圧入用ガイドプレート４を介して、ジョイントＪにプレートＰを圧入する。
（４）さらに、圧入ボルトＢｃを所定位置まで六角レンチで締めることにより、圧入用ガイドプレート４を介して、ジョイントＪへのプレートＰの圧入を完了する。
【００２７】
次に、図６に、新しいチェーンＣｎのジョイントＪのピンをかしめる方法を示す。
まず、必要に応じて、連結部３に貫通して形成された１個の雌ねじ部３１に連結部３の端板部１の他方側の面側に把持部８を螺合するようにする。
（１）交換工具本体Ｔの一方の端板部１の連結部３を挟んで一方側に形成された２個の雌ねじ部１１に２本のかしめ用ボルトＢｂ（第１段のカット用ボルトＢａ１と兼用）を螺合する。
また、交換工具本体Ｔの他方の端板部２の連結部３を挟んで一方側に形成された２個の雌ねじ部２１に２本のセット用ボルトＢｄを所定位置まで螺合する。
（２）チェーンＣｎの接続する箇所に交換工具本体Ｔを装着するとともに、２本のかしめ用ボルトＢｂを順に手で締める。
このとき、他方の端板部２のチェーンの当接面に配設したチェーンＣｎの外縁に沿う形状の位置決めプレート９によって、チェーンＣｏに交換工具本体Ｔを装着する際の装着状態を安定化させ、チェーンＣｎに対する位置決めを確実に行うことができる。
（３）２本のかしめ用ボルトＢｂを交互に少しずつ六角レンチで締める。
これにより、チェーンＣｎのジョイントＪのピンをかしめる。
（４）ゲージＧを使用して、チェーンＣｎのジョイントＪのピンのかしめ状態を確認する。
これにより、新しいチェーンＣｎを接続し、オートバイに取り付けることができる。
【００２８】
以上、本考案のオートバイ用チェーン交換工具について、その実施例に基づいて説明したが、本考案は上記実施例に記載した構成に限定されるものではなく、その趣旨を逸脱しない範囲において適宜その構成を変更することができるものである。
【産業上の利用可能性】
【００２９】
本考案のオートバイ用チェーン交換工具は、オートバイのチェーンの交換を、ユーザーが一人で行う場合に好適に用いることができる。
【符号の説明】
【００３０】
Ｂａ  カット用ボルト
Ｂａ１  第１段のカット用ボルト
Ｂａ２  第２段のカット用ボルト
Ｂｂ  かしめ用ボルト
Ｂｃ  圧入ボルト
Ｂｄ  セット用ボルト
Ｃｏ  古いチェーン
Ｃｎ  新しいチェーン
Ｇ    ゲージ
Ｊ    ジョイント
Ｐ    プレート
Ｔ    交換工具本体
１    端板部
１１  雌ねじ部
１２  雌ねじ部
１３  透孔
２    端板部
２１  雌ねじ部
３    連結部
３１  雌ねじ部
４    圧入用ガイドプレート
４１  透孔
４２  透孔
４３  ねじ
５    ガイドピン操作用プレート
５１  透孔
５２  操作片
６    ガイドピン
７    ばね部材
８    把持部
９    位置決めプレート
【図１】
0003155867.tif 000003
【図２】
0003155867.tif 000004
【図３】
0003155867.tif 000005
【図４】
0003155867.tif 000006
【図５】
0003155867.tif 000007
【図６】
0003155867.tif 000008